(57)【要約】【課題】  包丁の存在が分からないだけでなく小さな子供等が勝手に包丁を取り出すことができず、安全性及び防犯性の向上が図れると共に使い勝手の良いシステムキッチンを提供する。【解決手段】  複数種類のベースキャビネット２〜５を備えたシステムキッチン１であって、前記ベースキャビネットの一つ（４）は、前面部が開口したキャビネット本体１７と、該キャビネット本体１７の前面部に開閉可能に設けられた開き扉３６または引出し１８と、キャビネット本体１７内に設けられ包丁を収納可能な内引出し１９とを有し、該内引出し１９に錠２６が設けられている。【選択図】          図３
2005152481.tif 000002
【特許請求の範囲】
【請求項１】
複数種類のベースキャビネットを備えたシステムキッチンであって、前記ベースキャビネットの一つは、前面部が開口したキャビネット本体と、該キャビネット本体の前面部に開閉可能に設けられた開き扉または引出しと、キャビネット本体内に設けられ包丁を収納可能な内引出しとを有し、該内引出しに錠が設けられていることを特徴とするシステムキッチン。
【発明の詳細な説明】
【技術分野】
【０００１】
本発明は、システムキッチンに係り、特にベースキャビネットにおける包丁を収納する部分の構造を改良したシステムキッチンに関する。
【背景技術】
【０００２】
システムキッチンは、複数種類のベースキャビネット（ユニット）の組み合わせにより構成されている（例えば、特開２００２-２９１５４６号公報、特開２００３-２８４６１４号公報参照）。ベースキャビネットは、前面部が開口した箱状のキャビネット本体と、該キャビネット本体の前面部に開閉可能に設けられた開き扉及び／または引出しとから主に構成されている。従来のシステムキッチンにおいては、一般的に、前面に開き扉を有するベースキャビネットの開き扉の裏面に包丁を収納するための包丁差しが設けられている。包丁がすぐ手の届くところに収納されているため、使い勝手は良い。
【０００３】
【特許文献１】特開２００２-２９１５４６号公報
【特許文献２】特開２００３-２８４６１４号公報
【発明の開示】
【発明が解決しようとする課題】
【０００４】
しかしながら、前記システムキッチンにおいては、小さな子供でも包丁を簡単に取り出せるため、安全面で改良の余地があるだけでなく、包丁の存在が容易に分かるので防犯上も好ましくない。なお、包丁を別の場所に保管するなどの対策を個人的に行っている場合もあるが、その場合、包丁が手の届くところにないので使い勝手が悪い。
【０００５】
本発明は、上記事情を考慮してなされたものであり、包丁の存在が分からないだけでなく小さな子供等が勝手に包丁を取り出すことができず、安全性及び防犯性の向上が図れると共に使い勝手の良いシステムキッチンを提供することを目的とする。
【課題を解決するための手段】
【０００６】
本発明は、複数種類のベースキャビネットを備えたシステムキッチンであって、前記ベースキャビネットの一つは、前面部が開口したキャビネット本体と、該キャビネット本体の前面部に開閉可能に設けられた開き扉または引出しと、キャビネット本体内に設けられ包丁を収納可能な内引出しとを有し、該内引出しに錠が設けられていることを特徴とする。
【発明の効果】
【０００７】
本発明によれば、複数種類のベースキャビネットを備えたシステムキッチンであって、前記ベースキャビネットの一つは、前面部が開口したキャビネット本体と、該キャビネット本体の前面部に開閉可能に設けられた開き扉または引出しと、キャビネット本体内に設けられ包丁を収納可能な内引出しとを有し、該内引出しに錠が設けられているため、包丁の存在が分からないだけでなく小さな子供等が勝手に包丁を取り出すことができず、安全性及び防犯性の向上が図れると共に、手の届くところに包丁を保管できて使い勝手が良い。
【発明を実施するための最良の形態】
【０００８】
以下に、本発明を実施するための最良の形態について、添付図面を基に詳述する。図１は本発明の実施の形態であるシステムキッチンを概略的に示す正面図、図２はベースキャビネットの一例を概略的に示す図で、（ａ）は正面図、（ｂ）は外引出しを省略した正面図、（ｃ）は縦断面図である。図３は内引出しに設けたマグネット式の錠を示す図で、（ａ）は正面図、（ｂ）は縦断面図、図４はマグネット式の錠の作動を説明する図で、（ａ）は施錠時の平面図、（ｂ）は解錠時の平面図である。
【０００９】
図１において、１はシステムキッチンで、このシステムキッチン１は床上に隣接して設置した複数種類のベースキャビネット２〜５の組み合わせにより構成されている。図示例のシステムキッチン１は、上部にガスレンジ６を取付けたガス台用ベースキャビネット２と、上部に流し７を設けた流し台用ベースキャビネット５と、上部が調理用のスペースとされた２つの調理台用ベースキャビネット３，４とを備えている。ガス台用ベースキャビネット２は、部屋の一側に設置され、このガス台用ベースキャビネット２と流し台用ベースキャビネット５との間に調理台用ベースキャビネット３，４が配置されている。ベースキャビネットは、前面部が開口した箱状のキャビネット本体と、該キャビネット本体の前面部に開閉可能に設けられた開き扉及び／または引出しとから主に構成されている（図示省略）。
【００１０】
これらのベースキャビネット２〜５の上面には、長手方向に連続した天板８が設置されている。ガス台用ベースキャビネット２上の一側（片側）にはベースキャビネット２よりも幅の狭いキャビネット９が設置されている。このキャビネット９は、幅が例えば１５ｃｍ程度と狭く、床から天井近くまでの高さのあった従来のトールキャビネットから収納量が少なくて使い勝手の悪い下部キャビネット部を取り除き、中央キャビネット部と上部キャビネット部からなものを幅の広い例えばガス台用のベースキャビネット２の上面一側部に載置して接続具例えばブラケットとネジで接続固定することにより、下部の収納量を多くして使い勝手の向上を図っている。
【００１１】
前記ベースキャビネット２の上の一側部にキャビネット９を直接接続するために、天板８はベースキャビネット２の端まで設けられておらず、キャビネット９の部分で切断されている。キャビネット９は、図７にも示すようにベースキャビネット２上に載る主キャビネット部（従来の中央キャビネット部に相当）９ａと、その上の上部キャビネット部９ｂとを有している。キャビネット９は、前面が開口した箱状のキャビネット本体１０を有し、該キャビネット本体１０内が仕切板１１によって上部（上部キャビネット部）と下部（主キャビネット部）に仕切られている。
【００１２】
主キャビネット部９ａには引出し式の調味料棚１２が設けられている。この調味料棚１２は、主キャビネット部９ａの開口部の前面部を覆う前面板（引出し扉ともいう）１２ａを有し、該前面板１２ａの裏面に調味料や香辛料などを収納する複数段の棚部１２ｂが設けられている。調味料棚１２は前方に引き出すことにより棚部１２ｂに並んで収納された種々の調味料などを容易に取り出して使用することができ、使い勝手が非常に良い。上部キャビネット部９ｂは前面に開口した開口部を覆う開き扉１３を有し、内部には棚１４が設けられている。なお、システムキッチン１の上方には吊戸棚１５やレンジフード１６が取付けられている。
【００１３】
前記ベースキャビネットの一つである調理台用の一方のベースキャビネット４は、図２にも示すように前面部が開口したキャビネット本体１７と、該キャビネット本体１７の前面部に開閉可能に設けられた引出し（主引出しともいう）１８と、キャビネット本体１７内に設けられた内引出し１９とを有している。図示例のベースキャビネット４は主引き出し１８の下に更に補助引出し２０を有している。主引出し１８はキャビネット本体１７の前面の開口部を覆う前面板２１を有し、該前面板２１の裏面の略下半分に収納部２２が取付けられている。内引出し１９はキャビネット本体１７内の上方空間部に主引出し１８と干渉しない状態で設けられ、主引出し１８を前方に引き出してから、適宜前方に引き出せるようにガイド部材２３を介して前後にスライド移動可能に支持されている。
【００１４】
内引出し１９は前面板２４を有し、該前面板２４の裏面に包丁（図示省略）を収納可能な収納部２５が設けられている。内引出し１９には、収納した包丁を小さな子供などが勝手に取出せないようにするために錠２６が設けられている。本実施の形態の錠としては、マグネット式の錠（マグネットロック）２６が用いられている。このマグネット式の錠２６は、図４にも示すように、内引出し１９の前面板２４の裏面の一側に取付けられており、前面板２４の前面部（正面部）における錠２６と対応する位置にマグネット（詳しくはマグネットを有するオープナー）２７を吸着させた時に磁力で引っ込み、マグネット２７を取外した時に付勢手段例えばバネ（図示省略）の付勢力により側方へ突出する係止部材２８を備えている。キャビネット本体１７の内側面１７ａには、内引出し１９を閉めた時の錠２６と対応する位置に、係止部材２８が係合する係合受け部（キャッチャー）２９が設けられており、係止部材２８が側方へ突出して係合受け部２９に係合することにより施錠状態となり、係止部材２８が引っ込むことにより解錠状態となるように構成されている。
【００１５】
錠２６は、錠本体２６ａと、該錠本体２６ａに揺動可能に軸支された係止部材２８と、係止部材２８を突出させる方向に付勢する付勢手段例えばバネと、マグネット２７の磁力を利用して係止部材２８を引っ込める解除機構（図示省略）とを備えている。また、錠２６は前記マグネット２７を磁力で吸着させるための磁性体３０を備えており、内引出し１９の前面板２４の正面部（前面部）における前記磁性体３０と対応する位置にマグネット２７を近づけるとマグネット２７が自らの磁力で吸着するようなっている。
【００１６】
前記ベースキャビネット２〜５の一つである調理台用の他方のベースキャビネット３は、前面部が開口したキャビネット本体と、該キャビネット本体の前面部に開閉可能に設けられた上下の引出し３１，３２とを有している。上の引出し３１には錠３３が設けられている。
【００１７】
以上の構成からなるシステムキッチン１によれば、複数種類のベースキャビネット２〜５を備え、前記ベースキャビネット２〜５の一つ（４）は、前面部が開口したキャビネット本体１７と、該キャビネット本体１７の前面部に開閉可能に設けられた引出し（主引出し）１８と、キャビネット本体１７内に設けられ包丁を収納可能な内引出し１９とを有し、該内引出し１９に錠例えばマグネット式の錠２６が設けられているため、包丁の存在が分からないだけでなく小さな子供等が勝手に包丁を取り出すことができず、安全性及び防犯性の向上が図れると共に、手の届くところに包丁を保管できて使い勝手が良い。
【００１８】
すなわち、包丁を使用しない時は、包丁を内引出し１９の収納部２５に収納し、マグネット２７を取外して施錠状態にしておき、更に外側の引出し１８を閉めておけば良く、包丁が内引出し１９に入っているためベースキャビネット４の引出し１８を開けても包丁の存在は分からない。しかも、内引出し１９は施錠されていて開けることができず、小さな子供等が勝手に包丁を取り出すことができないので、安全性及び防犯性の向上が図れる。内引出し１９には錠２６が設けられているが、マグネット式の錠２６であり、内引出し１９には鍵穴がないため、内引出し１９が施錠されていることも分からず、内引出し１９が施錠されていて動かない（引き出せない）のでそれが内引出しであることさえ分からない。
【００１９】
一方、包丁を使用する時は、引出し１８を開け、内引出し１９の前面板２４にマグネット２７を吸着させれば良く、これにより錠２６が解錠し、内引出し１９を開けることが可能となり、包丁を容易に取り出すことができるので使い勝手が良い。
【００２０】
内引き出し１９に設ける錠２６としては、マグネット式に限定されず、例えばシリンダー式であっても良い。図５は内引出しにシリンダー式の錠を設けた他の実施の形態を示す図で、（ａ）は要部正面図、（ｂ）は要部縦断面図である。図５の実施の形態において図３の実施の形態と同一ないし均等の部分は同一参照符号を付して説明を省略する。シリンダー式の錠２６は、内引出し１９の前面板２４の裏面の一側に取付けられており、前面板２４の前面部（正面部）には鍵３４を差し込んで施解錠するための鍵穴３５が露出して設けられている。シリンダー式の錠２６は、鍵３４を鍵穴３５に差し込んで一方に回動すると側方へ突出し、他方に回動すると引っ込む係止部材（図示省略）を備えている。キャビネット本体１７の内側面１７ａには、内引出し１９を閉めた時の錠２６と対応する位置に、係止部材が係合する係合受け部（キャッチャー）２９が設けられており、係止部材が側方へ突出して係合受け部２９に係合することにより施錠状態となり、係止部材が引っ込むことにより解錠状態となるように構成されている。
【００２１】
本発明が適用されるシステムキッチンのベースキャビネットとしては、キャビネット本体の前面部に開き扉を有するものであっても良い。図６はベースキャビネットの他の実施の形態を概略的に示す斜視図である。図６の実施の形態において図２の実施の形態と同一ないし均等の部分は同一参照符号を付して説明を省略する。ベースキャビネット４は、前面部が開口したキャビネット本体１７と、該キャビネット本体１７の前面部に開閉可能に設けられた開き扉３６と、キャビネット本体１７内に設けられた内引出し１９とを有している。内引出し１９には錠例えばマグネット式の錠２６が設けられている。本実施の形態のシステムキッチンにおいても前記実施の形態と同様の作用効果が得られる。
【００２２】
以上、本発明の実施の形態ないし実施例を図面により詳述してきたが、本発明は前記実施の形態ないし実施例に限定されるものではなく、本発明の要旨を逸脱しない範囲での種々の設計変更等が可能である。
【図面の簡単な説明】
【００２３】
【図１】本発明の実施の形態であるシステムキッチンを概略的に示す正面図である。
【図２】ベースキャビネットの一例を概略的に示す図で、（ａ）は正面図、（ｂ）は外引出しを省略した正面図、（ｃ）は縦断面図である。
【図３】内引出しに設けたマグネット式の錠を示す図で、（ａ）は正面図、（ｂ）は縦断面図である。
【図４】マグネット式の錠の作動を説明する図で、（ａ）は施錠時の平面図、（ｂ）は解錠時の平面図である。
【図５】内引出しにシリンダー式の錠を設けた他の実施の形態を示す図で、（ａ）は正面図、（ｂ）は縦断面図である。
【図６】ベースキャビネットの他の実施の形態を概略的に示す斜視図である。
【図７】ベースキャビネット上に設置されるキャビネットを示す図で、（ａ）は扉を省略した正面図、（ｂ）は縦断面図である。
【符号の説明】
【００２４】
１  システムキッチン
２〜５  ベースキャビネット
１７  キャビネット本体
１８  引出し
１９  内引出し
２６  錠
３６  開き扉
【図１】
2005152481.tif 000003
【図２】
2005152481.tif 000004
【図３】
2005152481.tif 000005
【図４】
2005152481.tif 000006
【図５】
2005152481.tif 000007
【図６】
2005152481.tif 000008
【図７】
2005152481.tif 000009